(57)【要約】【課題】火力発電所等の発電プラントや機器に関する運転データから要注意データをピックアップすることで、機器に異常が発生し、又はその前段状態かどうかを確認でき、事故を未然監視する。【解決手段】機器、施設に関する温度、圧力、出力、振動、ｐＨ、電導度、流量等の運転情報について自動計測し、これらを運転情報データとして保存管理されるデータについて採取し、ユニット計算機１で計算処理してデータベース１２に格納し、この採取したデータベース１２の運転情報と、機器や施設に関する１回前の運転情報のデータ１７、１週間前の運転情報のデータ１８及び定検直後のデータ１９の各運転情報のデータ毎のレンジを比較することにより、変動しているデータを要注意データとしてピックアップしてモニター３に表示する。【選択図】図１
2010049517.tif 000002
【特許請求の範囲】
【請求項１】
発電プラントにおける機器、施設の運転に関する異常傾向を検出し、その異常傾向にあるデータを表示する発電プラントにおける異常データの早期発見方法であって、
前記発電プラントにおける機器、施設の運転の際に生じる温度、圧力、出力、振動、ｐＨ、電導度、流量に関する運転情報について自動計測し、これらを運転情報データとして保存管理されるデータについて採取し、ユニット計算機（１）で計算処理してデータベース（１２）に格納し、
この採取したデータベース（１２）の運転情報と、発電プラントにおける機器や施設の運転に関する１回前の運転情報のデータ（１７）、１週間前の運転情報のデータ（１８）及び定検直後のデータ（１９）の各運転情報のデータ毎のレンジを比較することにより、変動しているデータを要注意データとしてピックアップしてモニター（３）に表示する、ことを特徴とする発電プラントにおける異常データの早期発見方法。
【請求項２】
前記運転情報に関する１回前のデータ（１７）、１週間前のデータ（１８）及び定検直後のデータ（１９）とを比較し、要注意データとしてピックアップする際に、
各データ毎のレンジにおいて、２．５％、５．０％又は７．５％以上変動しているときに順次自動でピックアップする、ことを特徴とする請求項１の発電プラントにおける異常データの早期発見方法。
【請求項３】
前記運転情報に関する１回前のデータ（１７）、１週間前のデータ（１８）及び定検直後のデータ（１９）とを比較し、要注意データとしてピックアップする際に、
その変動幅については判断対象となる発電プラントにおける機器、施設に応じて変更する、ことを特徴とする請求項２の発電プラントにおける異常データの早期発見方法。
【発明の詳細な説明】
【技術分野】
【０００１】
本発明は、発電プラントにおける機器や施設の運転の異常傾向を検出し、その異常傾向にあるデータを発見する発電プラントにおける異常データの早期発見方法に関する。
【背景技術】
【０００２】
火力、水力及び原子力等の発電所では発電した電気は、効率的に送電するために電圧を昇圧して送電線で変電所等の電気所に送り、そこで降圧し、送電線で更に他の変電所へ送電したり、送電線や配電線を通して需要家に送り届けられる。このように、発電所は安全かつ効率の良い発電を行い、変電所は、電圧の変成、即ち電力を安全、かつ経済的に輸送することが望まれている。
【０００３】
このような発電所、変電所等の電気所の使命を果たすためには、必要な設備を具備することは勿論であるが、発電所等の運転保守が容易、確実、安全に実施される必要がある。このために、発電所、変電所等には、運転が容易に行えるように配電盤や制御卓等の監視制御装置を設けている。例えば、発電プラントにおける機器や施設の運転に際し、温度、圧力、出力、振動、ｐＨ、電導度又は流量に関するデータを採取している。そこで、ユニット計算機のアナログデータ全点を１ケ月単位に整理し、その傾向管理している。
【０００４】
例えば、発電プラントにおいて１号機から３号機といった発電機毎に毎日朝１１時４０分に自動で収集しているデータを当直４班で持ち回りでグラフ化し、過去５ヶ月分のデータと合わせ６ヶ月分の傾向をグラフ化して異常データをチェックしている。
【発明の開示】
【発明が解決しようとする課題】
【０００５】
しかし、このように各班により異常データをチェックする方法、即ち１ケ月単位で整理する方法では、迅速性に欠けていた。また、これらのデータは、大きな異常事態が発生した後に、その異常事態の証拠としての証憑的にしか使用できないという問題を有していた。
【０００６】
また、従来の異常データをチェックする方法では、早期に異常な方向へ向かっているデータをピックアップし、そのデータに注目して毎日チェックするものであり、即時性に欠けるという問題を有していた。即ち、従来の方法では、機器、施設について異常事態が発生することを予想することができず、その異常の発生を未然に防止することには利用できないという問題を有していた。
【０００７】
なお、異常を検出し、その異常を推定し、運転員にガイドする技術が提案されている。例えば、特許文献１の特開平３−２９３５２４号公報「プラント異常診断装置」に示すように、プラントから入力されたプロセス値から当該プラントの異常箇所と異常原因を推論するオンライン推論処理部と、このオンライン推論処理部による処理結果等を表示する表示手段とを備えたプラント異常診断装置において、プラントの異常データをセーブする異常データセーブ機構と、この異常データセーブ機構によりセーブした異常データを利用して、オフラインで知識を評価する評価用推論処理部とを設けたプラント異常診断装置が提案されている。
【特許文献１】特開平３−２９３５２４号公報
【０００８】
この特許文献１の「プラント異常診断装置」では、具体的にどのようにデータを加工し、処理判断すれば、その異常を検出し、その異常を推定することができるかについてまでは開示されていなかった。
【０００９】
本発明は、かかる問題点を解決するために創案されたものである。すなわち、本発明の目的は、火力発電所等の発電プラントや機器に関する運転データから要注意データをピックアップすることで、発電プラントや機器に異常が発生し、又はその前段状態であるかどうかを確認することができ、事故を未然監視することができる発電プラントにおける異常データの早期発見方法を提供することにある。
【課題を解決するための手段】
【００１０】
本発明によれば、発電プラントにおける機器、施設の運転に関する異常傾向を検出し、その異常傾向にあるデータを表示する発電プラントにおける異常データの早期発見方法であって、前記発電プラントにおける機器、施設の運転の際に生じる温度、圧力、出力、振動、ｐＨ、電導度、流量に関する運転情報について自動計測し、これらを運転情報データとして保存管理されるデータについて採取し、ユニット計算機（１）で計算処理してデータベース（１２）に格納し、この採取したデータベース（１２）の運転情報と、発電プラントにおける機器や施設の運転に関する１回前の運転情報のデータ（１７）、１週間前の運転情報のデータ（１８）及び定検直後のデータ（１９）の各運転情報のデータ毎のレンジを比較することにより、変動しているデータを要注意データとしてピックアップしてモニター（３）に表示する、ことを特徴とする発電プラントにおける異常データの早期発見方法が提供される。
【００１１】
例えば、前記運転情報に関する１回前のデータ（１７）、１週間前のデータ（１８）及び定検直後のデータ（１９）とを比較し、要注意データとしてピックアップする際に、各データ毎のレンジにおいて、２．５％、５．０％又は７．５％以上変動しているときに順次自動でピックアップするピックアップする。
前記運転情報に関する１回前のデータ（１７）、１週間前のデータ（１８）及び定検直後のデータ（１９）とを比較し、要注意データとしてピックアップする際に、その変動幅については判断対象となる発電プラントにおける機器、施設に応じて変更することができる。
【００１２】
上記構成の方法では、データベース（１２）に格納した運転情報について、最新のデータと同じ運転情報に関する１回前のデータ（１７）、１週間前のデータ（１８）及び定検直後のデータ（１９）とを比較し、各データ毎のレンジにおいて、２．５％、５．０％又は７．５％以上変動しているデータを要注意データとして順次自動でピックアップする。そこで、オペレータは、従来のように、常時モニター（３）の画面をチェックしながら確認する必要がなくなり、その作業労力が低減される。
【００１３】
更に、オペレータは、モニター（３）の画面に継続的に表示される要注意データと関連データをチェックすることにより、発電プラントに異常が発生しているのか、異常の前段状態かどうかという事項に労力を集中することができる。そこで、本発明の方法では、事故に関して事後発生処理ではなく、事故の未然監視に供することができる。
【００１４】
また、変動幅については判断対象となる発電プラントにおける機器、施設に応じて変更することにより、オペレータは、確認処理後に次変動幅分を表示させ、一度に表示するデータ数を紋り込むことができ、オペレータは確認しやすくなる。
【発明を実施するための最良の形態】
【００１５】
本発明の発電プラントにおける異常データの早期発見方法は、採取したデータベースの運転情報と、発電プラントにおける機器や施設の運転に関する１回前の運転情報のデータ、１週間前の運転情報のデータ及び定検直後のデータの各運転情報のデータ毎のレンジを比較し、所定値以上で変動しているデータを要注意データとしてピックアップし、モニター等に自動で表示する方法である。
【実施例１】
【００１６】
以下、本発明の好ましい実施の形態を図面を参照して説明する。
図１は本発明の発電プラントにおける異常データの早期発見方法を示す概略構成図である。
本発明の発電プラントにおける異常データの早期発見方法は、発電プラントにおける機器、施設の運転の異常傾向を検出し、その異常傾向のデータを表示する発電プラントにおける異常データの早期発見方法である。この方法では、先ず発電プラントにおける機器、施設の運転の際に生じる温度、圧力、出力、振動、ｐＨ、電導度、流量に関する運転情報について自動計測する。例えば、温度については、ボイラの温度、タービンの温度、取水する海水の温度、大気の温度等について計測する。圧力については、ボイラ内の気圧、復水器の真空度等について計測する。このように発電プラントにおいて運転している機器、施設に関する運転情報を計測する。発電プラントに応じて計測する種類が異なることは勿論である。
【００１７】
これらを運転情報データについては、保存管理されるデータについて採取し、ユニット計算機１で計算処理して後述するようなプラントデータ管理システム２のデータベース１２に格納する。この採取した運転情報のデータについては、１回前の運転情報のデータ１７、１週間前の運転情報のデータ１８及び定検直後のデータ１９といったデータ毎にデータベース１２に格納する。段階ごとに運転情報のデータを採取することにより、発電プラントにおける機器、施設の運転の異常傾向を検出しやすくする。例えば、採取した運転情報のデータについては、定検直後のデータ１９と比較して１回前の運転情報のデータ１７の方が異常傾向を示しやすいからである。また、１週間前のデータ１８と比較して１回前の運転情報のデータ１７の方が異常傾向を示しやすい。所定値以上で変動しているデータは、要注意データとしてピックアップし、これをモニター３に自動で表示する。
【００１８】
図２は本発明の発電プラントにおける異常データの早期発見方法を実施するプラントデータ管理システムのブロック図である。
本発明の発電プラントにおける異常データの早期発見方法を実施するためのプラントデータ管理システム２は、演算処理装置１１、データベース１２、入力装置１３、入力処理部１４、判定処理部１５、出力処理部１６とから構成されたものである。データベース１２は、１回前の運転情報に関するデータ１７、１週間前の運転情報に関するデータ１８、定検直後の運転情報に関するデータ１９及び発電機の設定出力に関する発電機出力データ２０等のデータとから成る。
【００１９】
演算処理装置１１は、ユニット計算機１で計算処理したデータと、入力装置１３から入力されたその他の条件等に基づき各種の演算処理を実行するものであり、入力処理を行う入力処理部１４、１回前の運転情報に関するデータ１７、１週間前の運転情報に関するデータ１８、定検直後の運転情報に関するデータ１９取及び発電機出力データ２０に基づいて判定する判定処理部１５、その判定の結果、要注意データとしてピックアップし、これをモニター３に出力表示するための制御処理を行う出力処理部１６を備える。
【００２０】
図３は本発明の発電プラントにおける異常データの早期発見方法のフローチャートである。図４はモニターへの表示の一例を示す参考図である。
本発明の発電プラントにおける異常データの早期発見方法による処理の一例を説明する。
この採取したデータベース１２の運転情報と、発電プラントにおける機器や施設の運転に関する１回前の運転情報のデータ１７、１週間前の運転情報のデータ１８及び定検直後のデータ１９について、各運転情報のデータ毎のレンジを比較し、所定値以上で変動しているデータを要注意データとしてピックアップする。
【００２１】
例えば、データベース１２に格納した運転情報と、最新のデータと同じ運転情報に関する１回前のデータ１７、１週間前のデータ１８及び定検直後のデータ１９とを比較し、各データ毎のレンジにおいて、２．５％、５．０％又は７．５％以上変動しているデータを要注意データとして順次自動でピックアップする。これらの２．５％、５．０％又は７．５％のしきい値は例示であり、対象となる機器、施設に応じて決められる。また、これらの数値に拘泥されない。
【００２２】
本発明の発電プラントにおける異常データの早期発見方法はこのように構成したので、オペレータは、従来のように、常時モニター３の画面をチェックしながら確認する必要がなくなるので、その作業労力が低減される。また、オペレータは、モニター３の画面に継続的に表示される要注意データと関連データをチェックすることにより、発電プラントに異常が発生しているのか、異常の前段状態なのかどうかという点に労力を集中することができる。しかも、事故に関して事後発生処理ではなく、事故の未然監視に利用することができる。
【００２３】
また、各データ毎のレンジにおける変動幅については判断対象となる発電プラントの機器、施設に応じて変更することにより、この自動表示されるデータについて、オペレータが確認処理後に次変動幅分を表示させ、一度に表示されるデータ数を紋り込むことができるので、オペレータは容易に確認することができる。
【００２４】
なお、本発明は、火力発電所等の発電プラントや機器に関する運転データから要注意データをピックアップすることで、発電プラントや機器に異常が発生し、又はその前段状態であるかどうかを確認することにより、事故を未然監視することができれば、上述した発明の実施の形態に限定されず、本発明の要旨を逸脱しない範囲で種々変更できることは勿論である。
【産業上の利用可能性】
【００２５】
本発明の発電プラントにおける異常データの早期発見方法は、発電プラント以外にも製造工場プラント、清掃工場プラント又は機器、施設を維持管理する必要があるプラント設備における運転の異常傾向を検出する際にも利用することができる。
【図面の簡単な説明】
【００２６】
【図１】本発明の発電プラントにおける異常データの早期発見方法を示す概略構成図である。
【図２】本発明の発電プラントにおける異常データの早期発見方法を実施するプラントデータ管理システムのブロック図である。
【図３】本発明の発電機の出力の制限を管理する方法のフローチャートである。
【図４】モニター表示の一例を示す参考図である。
【符号の説明】
【００２７】
１  ユニット計算機
２  プラントデータ管理システム
３  モニター
１１  演算処理装置
１２  データベース
１３  入力装置
１４  入力処理部
１５  判定処理部
１６  出力処理部
１７  １回前のデータ
１８  １週間前のデータ
１９  定検直後のデータ
２０  発電機出力データ
【図１】
2010049517.tif 000003
【図２】
2010049517.tif 000004
【図３】
2010049517.tif 000005
【図４】
2010049517.tif 000006